(57)【要約】      （修正有）【課題】携帯電話用刺繍ステッカーであって、携帯電話の目立たない背面全体の装飾と保護を兼ねる。【解決手段】携帯電話用刺繍ステッカーにおいて、ステッカー本体１の背面の外形に合せて刺繍２を施す被刺繍生地体３を複数層に形成し、最上層の第１層を柔軟で耐久性に優れ、肌すべりが良く、ほつれにくく、手触りの良い刺繍生地４とし、第２層を接着剤のついていない裏地として複数枚の芯地５とし、第３層を片面に接着剤を施した接着芯地６とし、当該被刺繍生地３に所定の刺繍２を施すと共に、被刺繍生地体３の外形に沿って玉縁枠形の縁取り部１１を設け、接着芯地６の裏面に剥離紙付きの熱接着フィルムを熱接着し、冷えた剥離紙を除いた熱接着フイルムに剥離紙付き両面接着テープを貼着すると共に、ステッカー本体１の背面の外形に合せてヒートカットした。【選択図】図１
0003220947.tif 000002
【実用新案登録請求の範囲】
【請求項１】
携帯電話本体(A)の背面の外形(A′)の全面に合せて刺繍(2)を施すステッカー本体(1)の被刺繍生地体(3)を複数層(4)〜(6)に形成し、最上層の第1層を柔らかく、つるっとした質感の生地、又は耐久性に優れ、光沢性がある生地、又はほつれにくく、手触りがよい生地を可とする刺繍生地(4)とし、第２層を接着剤のついていない裏地として複数枚の芯地(5)とし、第３層を片面のみに接着剤を施した接着芯地(6)とし、当該被刺繍生地体(3)に所定の刺繍(2)を施すと共に、第３層の片面接着芯地(6)の裏面(7)に熱接着フィルム(8)を接着し、さらに熱接着フィルム(8)に剥離紙(10)付きの両面接着テープ(9)を接着すると共に、ステッカー本体(1)の外形(11)に合わせてヒートカットするように構成したことを特徴とする携帯電話用刺繍ステッカー。
【請求項２】
第１層の刺繍生地(4)をアーバンツイル又はポリエステルエンブロン又はフェルトとし、第２層の芯地(5)を２枚の裏地を重ねて被刺繍生地体(3)に張りを持たせて強度が増す生地とし、第３層の片面接着芯地(6)の接着面を第２層の芯地(5)に貼り合わせ、その芯地(5)の裏面(7)に生じる刺繍糸(21)の凹凸を平坦にするために剥離紙付きの熱接着フィルム(8)を接着し、その剥離紙の上から電気アイロンを押し当てるように構成した請求項１記載の携帯電話用刺繍ステッカー。
【請求項３】
刺繍生地(3)に刺繍部(2)を施す刺繍糸(2１)を多種多色の全体レーヨン糸とした請求項１記載の携帯電話用刺繍ステッカー。
【考案の詳細な説明】
【技術分野】
【０００１】
本考案は、携帯電話用刺繍ステッカーに関するもので、携帯電話の目立たない背面全体の装飾と保護を兼ねたものである。
【背景技術】
【０００２】
一般に、携帯電話の表面は電源ОＮで初期画面に多種のアイコンや待ち受け画面で好みの写真等が表示されて装飾効果を満足する。
【０００３】
ところが、携帯電話の背面は、カメラのレンズがある以外は特段の装飾が施されているものが殆どないのが通常である。
【０００４】
これを解消するために、携帯電話に装飾を施す考案が開示するものも出現し始めた。特許文献1（特開２００２−０３４６１４号公開公報）は、個性的で装飾性を備えたバッジに関するものであり、表生地に所望の刺繍を施し、その表生地の裏面に裏生地を積層してこれを基体に貼付した構成である。
【０００５】
特許文献２（実用新案登録第３１３３５７８号公報）は、ワッペン等の貼装飾品であり、表面に刺繍などの装飾を施した基素地の裏面にアクリル系棚旨粘着剤を施してなる構成であり、その用途がシャツやガラス面、冷蔵庫の表面、勉強机、壁面、玄関ドア、携帯電話、サイドボード側面への取り付け、あるいは携帯電話器具などへの取り付けである。
【０００６】
特許文献３（特開２０１７−１３１３７２号公開公報）は、携帯機器の背面の全面（レンズ部を除く）と側面を覆うカバーであり、ゴム弾性を有するエラストマーで形成される可撓性を有するカバー部材と、前記カバー部材に縫い付けられる装飾部材と、を備えてなる構成である。
【０００７】
特許文献４（特開２０１３−１５７７２７号公開公報）は、携帯電話端末用カバーであり、特許文献３と同様に携帯電話の背面の全面（レンズ部を除く）と側面を覆うカバーであり、そのカバーは可撓性を有しており、そのカバーの全面に立体状の装飾物を接着した構造である。
【先行技術文献】
【特許文献】
【０００８】
【特許文献１】特開２００２−０３４６１４号公開公報
【特許文献２】実用新案登録第３１３３５７８号公報
【特許文献３】特開２０１７−１３１３７２号公開公報
【特許文献４】特開２０１３−１５７７２７号公開公報
【考案の概要】
【考案が解決しようとする課題】
【０００９】
特許文献1は、その基体はプラスチック製でしかも安全ピンの係止具がついているから、携帯機器の面に装着することはできない。
【００１０】
特許文献２は、いずれもワンポイント的に貼飾するものであるから、携帯電話のアイフォンやスマートフォンの背面の全面を装飾するものを想定しているものではない。
【００１１】
特許文献３は、装飾カバー表面に装飾部材を施しているが、その装飾は刺繍装飾ではなく、また、携帯機器に装飾を施したものではなく、カバーにしたものであり、しかもその装飾はカバーの一部に施しているにすぎないから、携帯電話の背面全体を刺繍装飾する構成とは異なる。
【００１２】
特許文献４は、装飾カバー表面の全面に施しているが、その装飾は刺繍装飾ではなく、また、携帯電話に装飾を施したものではなく、カバーにしたものであるから、携帯電話の背面全体を刺繍装飾する構成とは異なる。
【課題を解決するための手段】
【００１３】
本考案は上記従来の課題を解決するために提供するものである。本考案の第1は携帯電話用刺繍ステッカーにおいて、携帯電話本体の背面の外形に合せて刺繍を施すステッカー本体の被刺繍生地体を複数層に形成し、最上層の第1層を柔軟で耐久性に優れ、肌すべりが良く、ほつれにくく、手触りの良い刺繍生地とし、第２層を接着剤のついていない裏地として用いる複数枚の芯地とし、第３層を片面のみに接着剤を施した接着芯地とし、当該被刺繍生地に所望の刺繍を施すと共に、第３層の片面接着芯地の裏面にサーモライトフィルムを可とする熱接着フィルムを接着し、さらに熱接着フィルムに剥離紙付きの両面接着テープを接着すると共に、ステッカー本体の外形に合わせてヒートカットするように構成したものである。
【００１４】
本考案の第２は第１の考案に係る携帯電話用刺繍ステッカーにおいて、第１層の刺繍生地をフェルト又はアーバンツイル又はポリエステルエンブロン又はナイロンエンブクロスとし、第２層の芯地を２枚の裏地を重ねて被刺繍生地に張りを持たせて強度が増す生地とし、第３層の片面接着芯地の接着面を第２層の芯地に貼り合わせ、その芯地の裏面に生じる刺繍の凹凸を平坦にするために剥離紙付きのサーモライトフィルムを接着し、その剥離紙の上からアイロンを押し当てるように構成したものである。
【００１５】
本考案の第３は第１の考案に係る携帯電話用刺繍ステッカーにおいて、刺繍生地に刺繍を施す刺繍糸を多種多色レーヨン糸としたものである。
【考案の効果】
【００１６】
本考案は上記の構成であるから次のような効果がある。
第１に、刺繍糸にレーヨンを用いたからべたつかない肌触りがあるため、刺繍ならではの手触りの良さを楽しめる。また、携帯電話のポケットに収納時に肌着や裏地などの皮膚と触れ合う部位の衣類との親和性が高い。
第２に、ステッカー背面の剥がせる両面接着テープによって携帯電話の背面に対して何度でも貼って剥がせることができるから、好みのデザインの刺繍ステッカーと交換することが容易である。
第３に、刺繍ステッカーの素材は、ポリエステル生地とレーヨン糸と芯地と接着テープから成り、厚さが２〜３ｍｍ程度の薄さであるから、軽量で且つ嵩張らないので、携帯電話に貼り付けても違和感がなく、携帯に邪魔にならない。
第４に、パソコンのソフトによって刺繍データを製作するので好みのオリジナルデザインを簡単に作ることができる。
第５に、刺繍ステッカーの外周を玉縁枠形に分厚い縁取り部を設けてあるのでステッカー自体が丈夫であると共に、携帯電話を落下したり他物に接触したりしてもこの縁取り部で衝撃を吸収しやすい構造であり、携帯電話の背面の保護力に優れている。
第６に、携帯電話を片手で把持したときにその縁取り部が刺繍と共に手のひらに触れて手触りの良い感触が得られる。
【図面の簡単な説明】
【００１７】
【図１】本考案に係る刺繍ステッカーとこれを貼り付ける携帯電話の斜視図である。
【図２】刺繍ステッカーの正面図である。
【図３】刺繍ステッカーの背面図である。
【図４】図２の刺繍ステッカーの背面に両面接着テープの剥離紙を貼着した背面図である。
【図５】刺繍ステッカーのデータ画像作成中の正面図である。
【図６】刺繍ステッカーのデータ画像作成完了の正面図である。
【図７】被刺繍生地に刺繍する状態を示す側面図である。
【図８】図７の刺繍完了後に熱接着フィルムおよび剥離紙付き両面接着テープを貼着した刺繍ステッカーの一部拡大側面図である（ただし、刺繍表示を省略）。
【図９】刺繍を完了してステッカー外周を電気鏝でヒートカットする状態を示す斜視図である。
【考案を実施するための形態】
【００１８】
本考案は、携帯電話用刺繍ステッカー本体の背面の外形に合せて多色のレーヨン糸で刺繍を施す被刺繍生地を複数に形成し、最上層の第１層の生地をフェルト又はアーバンツイル又はポリエステルエンプロン又はナイロンエンブクロスとする。これによって、柔軟で耐久性に優れ、肌すべりの良い、ほつれにくく、手触りの良いものとなる。
【００１９】
そして、第２層を接着剤のついていない裏地として複数枚の芯地とする。さらに、第３層を片面に接着剤を施した接着芯地とする。当該被刺繍生地に所望の刺繍を施すと共に、被刺繍生地の外形に沿って玉縁状に縁取り部を成形する。芯地の裏面に剥離紙付きの熱接着フィルムを熱接着する。このとき、被刺繍生地に刺繍を施した際に第３層の片面接着芯地の裏面に生じる凹凸を平坦にするために剥離紙の上から温度を高中低のうち、中に設定した適度に加熱したアイロンを押し当てて凹凸をなくす。
【００２０】
ここで、一般にステッカーとは、糊で貼りつける紙、特に宣伝用貼紙と認識されているが、本発明におけるステッカーとは、上記のように第１層から第３層に重ねた生地に刺繍を施し刺繍した面とは反対側の面を接着面として携帯電話背面の全面に貼り付けるものをいう。
【実施例１】
【００２１】
以下本考案の実施例を図面に沿って説明する。図１〜図４において、１は携帯電話Ａの背面の外形Ａ′に合せたステッカー本体、２は被刺繍生地体３すなわち複数層に形成した刺繍生地４・芯地５・接着芯地６に刺し通して装飾を施した刺繍である。その刺繍に用いる糸は、多種多色のレーヨン糸２１を用いるものとする。当該レーヨン糸２１は、ｈ−とカットに対応するもので、多少の熱では解けにくい性質を有している。
【００２２】
３は複数層からなる被刺繍生地体であり、最上層の第１層を刺繍生地４とし、具体的にはアーバンツイル又はポリエステルエンブロン又はフェルトを用いるものとする。そのアーバンツイルは、柔らかく、つるっとした質感を有する。また、ポリエステルエンブロンは、耐久性に優れ、光沢がある。そして、フェルトは、ほつれにくく、手触りがよいものである。
【００２３】
中間の第２層は、２枚の薄い裏地として重ねた芯地５であり、刺繍生地４の張りをもたせ、扱いやすくすると共に、強度がつくので刺繍生地４ののびやほつれを防ぎ美しい仕上がりになる。
【００２４】
６は片面に接着剤を施した下層の第３層としての接着芯地である。７は、接着芯地６の背面であり、当該背面７には、刺繍生地４と芯地５と接着芯地６に刺し通した刺繍糸２１によって凹凸ができる。
【００２５】
８は接着芯地６に貼り付けたサーモライトフィルムを可とする片面が熱接着できる剥離紙付きの熱接着テープである。上記のサーモライトフィルムとは、本来は衣類等にくっつけるワッペン等に使う接着材であるが、本実施例においては、刺繍した際に裏面にできる刺繍糸２１の凹凸を平坦にして接着テープが剥がれにくくするために用いている。
【００２６】
上記の離紙付きの熱接着テープ８は、接着芯地６の裏面７に接着するものであるが、接着前に接着芯地６の裏面７において、表面の刺繍２のために刺し通してできた刺繍糸２１の凹凸を平坦に形成しておくものとする。９は熱接着テープ８に接着した両面接着テープ、１０はその両面接着テープ９に貼着した剥離紙である。
【００２７】
１１はステッカー本体１の外周縁辺に沿って形成した玉縁枠形の縁取り部である。その刺繍に用いる糸２１は、刺繍２の糸と同じくレーヨン糸を用いるものとする。１２は携帯電話に具備しているカメラ機能のレンズＬ用の穴部を示す。
【００２８】
［製作工程］（図５〜図９）
（１）パソコンの刺繍ソフト（刺しゅうPRO 10「ブラザー製」）にて刺繍ステッカー本体１′、当該本体１′の外形1′1、被刺繍生地体３′、本体外形１１′の玉縁枠形の縁取り部１１′、レンズの穴１２′の画像データＤを作成する（図５）。
（２）次に、上記図５の被刺繍生地体３′の画像データの中に刺繍２′の画像データＤを作成する（図６）。
（３）上記（２）の画像を表示するミシン（図示省略）に刺繍２′の画像データＤを転送して被刺繍生地体３（刺繍生地４、裏地としての芯地５、接着芯地６）に、多種多色のレーヨン糸２１で刺繍２を作る。また、被刺繍生地体３の外形に沿って玉縁枠形に縁取り部１１を施す（図７）。
（４）刺繍した被刺繍生地体３の裏面７に２枚の芯地５と接着芯地６を重ね、当該被刺繍生地体３に所望の刺繍２を作成すると共に、サーモライトフィルムを可とする剥離紙付き熱接着フィルム８を貼り、電気アイロン（加熱温度：中）で約７秒間押し付けて、刺繍した接着芯地６の裏面７に露出した刺繍糸２１の凹凸部分を平坦にする（図示省略）
（５）温度が低下して剥離紙を除いた熱接着フィルム８に剥離紙１０付き広幅の両面接着テープ９を貼着し、剥離紙１０の上から圧力をかける（図８．ただし、刺繍の表示は省略してある。）。この両面接着テープ９は携帯電話の背面等の被接着面に繰り返し何度でも貼って剥がせる粘着性を有している。
（６）剥離紙１０を貼着したままの状態で電気鏝１３等を用いてステッカー本体１に外形１1以外の不要な部分３ｎをヒートカットする（図９）。当該ヒートカットは、鏝に熱を加えて裁断する方法である。
（７）ステッカー本体１以外の不要な生地３ｎを剥がして取り除く。
（８）携帯電話用刺繍ステッカーの完成。
（９）剥離紙１０を剥がして図１の携帯電話Ａの背面Ａ１にレンズＬの部分を残して全面に接着テープ９の接着面を貼り付ける。
【産業上の利用可能性】
【００２９】
本願考案は、スマートフォンやアイフォンのほか、いわゆるガラ系と呼ばれる携帯電話の背面やこれらに類する機器の目立たない面に貼着して装飾効果を高めることができる。
【符号の説明】
【００３０】
１…刺繍ステッカー本体
２…刺繍
２１…刺繍糸
３…被刺繍生地体
４…刺繍生地
５…裏地としての芯地
６…接着芯地
７…刺繍を施した接着芯地の裏面
８…熱接着フィルム
９…両面接着テープ
１０…剥離紙
１１…玉縁状の縁取り部
１２…カメラのレンズ用穴
１３…ヒートカット用電気鏝
Ａ…携帯電話
Ｄ…画像データ
Ｌ…レンズ
【図１】
0003220947.tif 000003
【図２】
0003220947.tif 000004
【図３】
0003220947.tif 000005
【図４】
0003220947.tif 000006
【図５】
0003220947.tif 000007
【図６】
0003220947.tif 000008
【図７】
0003220947.tif 000009
【図８】
0003220947.tif 000010
【図９】
0003220947.tif 000011